(57)【要約】【課題】本発明は情報表示方法及びその端末機を提供する。【解決手段】本発明に係る情報表示端末機及び情報表示方法は放送サーバーからブロードキャスティングされた情報を受信してスクロール方式で表示する時、使用者のスライディングタッチ方向によってスクロール表示されている情報の以前または以後の情報を移動させて表示するようになる。本発明によれば、タッチスクリーン上にスクロール方式に表示される情報に対する以前または以後の情報を使用者のスライディングタッチによって手軽く確認することができる。また、使用者がタッチスクリーン上にスクロール表示された情報の以前または以後の情報を再度見るために該当の内容が再度スクロール表示されるまで待つ必要がなくて、使用者の便宜性を大幅に向上させることができる。【選択図】図４
2008217790.tif 000002
【特許請求の範囲】
【請求項１】
前記タッチスクリーンのあらかじめ定義された領域を横切って情報をスクロ−ルリング（ｓｃｒｏｌｌｉｎｇ）するスクロール段階と、
前記タッチスクリーンでスライディングタッチを検出する段階と、
前記スライディングタッチの方向によって、前記スクロールされる情報の以前情報または以後情報を表示するディスプレイ段階と、を含むタッチスクリーン（ｔｏｕｃｈ  ｓｃｒｅｅｎ）を含む通信端末機の情報表示方法。
【請求項２】
前記スクロール段階は、
サーバーから移動通信網を通じてブロードキャスティングされた情報を受信してバッファリングすることを含むことを特徴とする、
請求項１記載のタッチスクリーンを含む通信端末機の情報表示方法。
【請求項３】
前記スクロール段階において、
前記スクロ−ルリングされる情報がメッセージ受信函に対応するリスト情報の場合、
前記以前情報または前記以後情報は、以前のリスト情報または表示されるリスト情報であることを特徴とする、請求項１記載のタッチスクリーンを含む通信端末機の情報表示方法。
【請求項４】
前記ディスプレイ段階は、
タイトルまたはテーマ単位にシフトされる情報を表示することを特徴とする、請求項１記載のタッチスクリーンを含む通信端末機の情報表示方法。
【請求項５】
前記ディスプレイ段階は、
まだ表示されないで残っている情報の量を表示することを特徴とする、請求項１記載のタッチスクリーンを含む通信端末機の情報表示方法。
【請求項６】
前記ディスプレイ段階は、
前記スライディングタッチの速度によって、シフトされる情報のスクロール速度またはスクロール距離を調整する段階と、を含むことを特徴とする、請求項１記載のタッチスクリーンを含む通信端末機の情報表示方法。
【請求項７】
前記ディスプレイ段階は、
前記スクロールされる情報と係わるコンテンツを表示することを特徴とする、請求項１記載のタッチスクリーンを含む通信端末機の情報表示方法。
【請求項８】
前記ディスプレイ段階は、
前記スクロールされる情報に対応するＵＲＬ住所を表示することを特徴とする、請求項１記載のタッチスクリーンを含む通信端末機の情報表示方法。
【請求項９】
前記スライディングタッチを検出する段階は、
前記あらかじめ定義された領域でスライディングタッチを検出することを特徴とする、請求項１記載のタッチスクリーンを含む通信端末機の情報表示方法。
【請求項１０】
サーバーから移動通信網を経由してブロードキャスティングされた情報を受信するように構成された通信部と、
タッチ感知ディスプレイデバイスと、
前記タッチ感知ディスプレイデバイスのあらかじめ定義された領域に受信した情報をスクロール情報に表示されるようにして、スライディングタッチを検出して、前記スライディングタッチに応答して前記スクロールされる情報の以前または以後情報が前記タッチ感知ディスプレイデバイスに表示されるようにする制御部と、を含む情報表示端末機。
【請求項１１】
前記制御部は、
タイトルまたはテーマ単位で前記スクロールされる情報をシフト（ｓｈｉｆｔ）させるように構成されることを特徴とする、請求項１０記載の情報表示端末機。
【請求項１２】
前記制御部は、
前記スライディングタッチの速度によってシフトされる情報のスクロール速度またはスクロール距離を調整するように構成されることを特徴とする、請求項１０記載の情報表示端末機。
【請求項１３】
前記タッチ感知ディスプレイデバイスは、
前記あらかじめ定義された領域で前記スライディングタッチを検出するように構成されることを特徴とする、請求項１０記載の情報表示端末機。
【請求項１４】
前記制御部は、
まだ表示されないで残っている情報の量が前記タッチ感知ディスプレイデバイスに表示されるようにすることを特徴とする、請求項１０記載の情報表示端末機。
【発明の詳細な説明】
【技術分野】
【０００１】
本発明は情報表示端末機及び方法に関する。
【背景技術】
【０００２】
従来のタッチスクリーンを備えた電子機器は、使用者がタッチスクリーンを直接タッチすることで所望するメニューまたは情報に進入するから、より容易い情報接近性を提供した。
【０００３】
また、従来の移動端末機は放送サーバーからブロードキャスティング（Ｂｒｏａｄｃａｓｔｉｎｇ）されたニュースなどの情報を受信すれば、タッチスクリーン上の上端または下端領域にスクロール（Ｓｃｒｏｌｌ）方式で表示した。
【０００４】
この時、使用者がタッチスクリーン上の一定領域にスクロール方式に表示される情報を注意深く見ない場合にスクロールされる内容を読むことができずにそのまま通り過ぎるようになってニュースなどの情報を易しく調べることができなかった。
【０００５】
また、使用者がタッチスクリーン上にスクロール表示された情報を再度見るためには該当の内容が再度スクロール表示されるまで待たなければならない不便さがあった。
【発明の開示】
【発明が解決しようとする課題】
【０００６】
本発明の目的は、放送サーバーからブロードキャスティングされた情報を受信してスクロール方式で表示する時、使用者のスライディングタッチ方向によってスクロール表示されている情報の以前または以後の情報を移動させて表示するようにする、情報表示方法及び端末機を提供することにある。
【課題を解決するための手段】
【０００７】
前記目的を果たすための本発明に係る情報表示方法は、前記タッチスクリーンのあらかじめ定義された領域を横切って情報をスクロ−ルリング（ｓｃｒｏｌｌｉｎｇ）するスクロール段階と、
前記タッチスクリーンでスライディングタッチを検出する段階と、
前記スライディングタッチの方向によって、前記スクロールされる情報の以前情報または以後情報を表示するディスプレイ段階と、を含む。
【０００８】
前記スクロール段階は、
サーバーから移動通信網を通じてブロードキャスティングされた情報を受信してバッファリングすることを含む。
【０００９】
前記スクロール段階において、
前記スクロ−ルリングされる情報がメッセージ受信函に対応するリスト情報の場合、
前記以前情報または前記以後情報は、以前のリスト情報または表示されるリスト情報である。
【００１０】
前記ディスプレイ段階は、
タイトルまたはテーマ単位にシフトされる情報を表示する。
【００１１】
前記ディスプレイ段階は、
まだ表示されないで残っている情報の量を表示する。
【００１２】
前記ディスプレイ段階は、
前記スライディングタッチの速度によって、シフトされる情報のスクロール速度またはスクロール距離を調整する段階と、を含む。
【００１３】
前記ディスプレイ段階は、
前記スクロールされる情報と係わるコンテンツを表示する。
【００１４】
前記ディスプレイ段階は、
前記スクロールされる情報に対応するＵＲＬ住所を表示する。
【００１５】
前記スライディングタッチを検出する段階は、
前記あらかじめ定義された領域でスライディングタッチを検出する。
【００１６】
サーバーから移動通信網を経由してブロードキャスティングされた情報を受信するように構成された通信部と、
タッチ感知ディスプレイデバイスと、
前記タッチ感知ディスプレイデバイスのあらかじめ定義された領域に受信した情報をスクロール情報に表示されるようにして、スライディングタッチを検出して、前記スライディングタッチに応答して前記スクロールされる情報の以前または以後情報が前記タッチ感知ディスプレイデバイスに表示されるようにする制御部と、を含む。
【００１７】
前記制御部は、
タイトルまたはテーマ単位で前記スクロールされる情報をシフト（ｓｈｉｆｔ）させるように構成される。
【００１８】
前記制御部は、
前記スライディングタッチの速度によってシフトされる情報のスクロール速度またはスクロール距離を調整するように構成される。
【００１９】
前記タッチ感知ディスプレイデバイスは、
前記あらかじめ定義された領域で前記スライディングタッチを検出するように構成される。
【００２０】
前記制御部は、
まだ表示されないで残っている情報の量が前記タッチ感知ディスプレイデバイスに表示されるようにする。
【００２１】
上記目的を達成するために、本発明は、例えば、以下の手段を提供する。
【００２２】
（項目１）
上記タッチスクリーンのあらかじめ定義された領域を横切って情報をスクロ−ルリング（ｓｃｒｏｌｌｉｎｇ）するスクロール段階と、
上記タッチスクリーンでスライディングタッチを検出する段階と、
上記スライディングタッチの方向によって、上記スクロールされる情報の以前情報または以後情報を表示するディスプレイ段階と、を含むタッチスクリーン（ｔｏｕｃｈ  ｓｃｒｅｅｎ）を含む通信端末機の情報表示方法。
【００２３】
（項目２）
上記スクロール段階は、
サーバーから移動通信網を通じてブロードキャスティングされた情報を受信してバッファリングすることを含むことを特徴とする、  項目１記載のタッチスクリーンを含む通信端末機の情報表示方法。
【００２４】
（項目３）
上記スクロール段階において、
上記スクロ−ルリングされる情報がメッセージ受信函に対応するリスト情報の場合、
上記以前情報または上記以後情報は、以前のリスト情報または表示されるリスト情報であることを特徴とする、項目１記載のタッチスクリーンを含む通信端末機の情報表示方法。
【００２５】
（項目４）
上記ディスプレイ段階は、
タイトルまたはテーマ単位にシフトされる情報を表示することを特徴とする、項目１記載のタッチスクリーンを含む通信端末機の情報表示方法。
【００２６】
（項目５）
上記ディスプレイ段階は、
まだ表示されないで残っている情報の量を表示することを特徴とする、項目１記載のタッチスクリーンを含む通信端末機の情報表示方法。
【００２７】
（項目６）
上記ディスプレイ段階は、
上記スライディングタッチの速度によって、シフトされる情報のスクロール速度またはスクロール距離を調整する段階と、を含むことを特徴とする、項目１記載のタッチスクリーンを含む通信端末機の情報表示方法。
【００２８】
（項目７）
上記ディスプレイ段階は、
上記スクロールされる情報と係わるコンテンツを表示することを特徴とする、項目１記載のタッチスクリーンを含む通信端末機の情報表示方法。
【００２９】
（項目８）
上記ディスプレイ段階は、
上記スクロールされる情報に対応するＵＲＬ住所を表示することを特徴とする、項目１記載のタッチスクリーンを含む通信端末機の情報表示方法。
【００３０】
（項目９）
上記スライディングタッチを検出する段階は、
上記あらかじめ定義された領域でスライディングタッチを検出することを特徴とする、項目１記載のタッチスクリーンを含む通信端末機の情報表示方法。
【００３１】
（項目１０）
サーバーから移動通信網を経由してブロードキャスティングされた情報を受信するように構成された通信部と、
タッチ感知ディスプレイデバイスと、
上記タッチ感知ディスプレイデバイスのあらかじめ定義された領域に受信した情報をスクロール情報に表示されるようにして、スライディングタッチを検出して、上記スライディングタッチに応答して上記スクロールされる情報の以前または以後情報が上記タッチ感知ディスプレイデバイスに表示されるようにする制御部と、を含む情報表示端末機。
【００３２】
（項目１１）
上記制御部は、
タイトルまたはテーマ単位で上記スクロールされる情報をシフト（ｓｈｉｆｔ）させるように構成されることを特徴とする、項目１０記載の情報表示端末機。
【００３３】
（項目１２）
上記制御部は、
上記スライディングタッチの速度によってシフトされる情報のスクロール速度またはスクロール距離を調整するように構成されることを特徴とする、項目１０記載の情報表示端末機。
【００３４】
（項目１３）
上記タッチ感知ディスプレイデバイスは、
上記あらかじめ定義された領域で上記スライディングタッチを検出するように構成されることを特徴とする、項目１０記載の情報表示端末機。
【００３５】
（項目１４）
上記制御部は、
まだ表示されないで残っている情報の量が上記タッチ感知ディスプレイデバイスに表示されるようにすることを特徴とする、項目１０記載の情報表示端末機。
【００３６】
（摘要）
本発明は情報表示方法及びその端末機を提供する。
【００３７】
本発明に係る情報表示端末機及び情報表示方法は放送サーバーからブロードキャスティングされた情報を受信してスクロール方式で表示する時、使用者のスライディングタッチ方向によってスクロール表示されている情報の以前または以後の情報を移動させて表示するようになる。本発明によれば、タッチスクリーン上にスクロール方式に表示される情報に対する以前または以後の情報を使用者のスライディングタッチによって手軽く確認することができる。また、使用者がタッチスクリーン上にスクロール表示された情報の以前または以後の情報を再度見るために該当の内容が再度スクロール表示されるまで待つ必要がなくて、使用者の便宜性を大幅に向上させることができる。
【発明の効果】
【００３８】
以上で説明したのように本発明によれば、タッチスクリーン上にスクロール方式に表示される情報に対する以前または以後の情報を使用者のスライディングタッチによって手軽く確認することができる。
【００３９】
また、使用者がタッチスクリーン上にスクロール表示された情報の以前または以後の情報を再度見るために該当の内容が再度スクロール表示されるまで待つ必要がなくて使用者の便宜性を大幅に向上させることができる。
【発明を実施するための最良の形態】
【００４０】
以下、本発明の望ましい実施形態を添付された図面を参照して詳しく説明する。
【００４１】
まず各図面の構成要素に参照符号を付け加えるにおいて、同一な構成要素に対してはたとえ他の図面上に表示されてもできるだけ同一な符号を持つようにしている事に留意しなければならない。
【００４２】
また、本発明を説明するにおいて、係わる公知構成または機能に対する具体的な説明が本発明の要旨を濁ごすことができると判断される場合にはその詳細な説明は略する。
【００４３】
図１は本発明の実施形態による情報表示方法が適用された通信システムの構成を概略的に示す構成図である。
【００４４】
本発明が適用された通信システム１００は移動端末機１１０、通信網１２０、放送サーバー１３０を含む。
【００４５】
移動端末機１１０はタッチスクリーン（ｔｏｕｃｈ  ｓｃｒｅｅｎ）やタッチパッド（Ｔｏｕｃｈｐａｄ）などのタッチデバイス（Ｔｏｕｃｈ  Ｄｅｖｉｃｅ）を備える。
【００４６】
また、移動端末機１１０は放送サーバー１３０からブロードキャスティング（Ｂｒｏａｄｃａｓｔｉｎｇ）されたニュースや天気などの情報を受信して、受信された情報をタッチデバイス上にスクロール方式にディスプレイする。
【００４７】
そして、移動端末機１１０はスクロール方式でタッチデバイス上に情報を表示する中で使用者からスライディングタッチが入力されれば、スライディングタッチ方向に情報の内容を移動させてスクロール表示される情報の以前または以後の情報を表示してくれる。
【００４８】
通信網１２０は放送サーバー１３０で送り出しされる情報が移動端末機１１０に転送されるように転送経路を提供する。ここで、通信網はＣＤＭＡ（Ｃｏｄｅ  Ｄｉｖｉｓｉｏｎ  Ｍｕｌｔｉｐｌｅ  Ａｃｃｅｓｓ）方式またはＧＳＭ（Ｇｌｏｂａｌ  Ｓｙｓｔｅｍ  ｆｏｒ  ｔｈｅ  Ｍｏｂｉｌｅ  ｃｏｍｍｕｎｉｃａｔｉｏｎ）方式の移動通信網を含む。
【００４９】
放送サーバー１３０は天気やニュース、運勢、演芸消息、株価消息、経済消息、イベントなどに関する情報を保有しているとか該当のサーバーから提供受けて通信網１２０を通じて移動端末機１１０などのような通信端末機にブロードキャスティング（Ｂｒｏａｄｃａｓｔｉｎｇ）してくれる。ここで、放送サーバー１３０は地上ＤＭＢ（Ｄｉｇｉｔａｌ  Ｍｕｌｔｉｍｅｄｉａ  Ｂｒｏａｄｃａｓｔｉｎｇ）方式または衛星ＤＭＢ方式の放送サーバーを含む。
【００５０】
図２は本発明の実施形態による情報表示端末機としての移動端末機の内部構成を概略的に示す構成図である。
【００５１】
本発明が適用された移動端末機１１０は、タッチデバイス２１０、通信部２２０、制御部２３０、メモリー２４０及びプログラム部２５０を含む。
タッチデバイス２１０はインジケーター領域（Ｉｎｄｉｃａｔｏｒ  Ａｒｅａ）と、表示領域（Ｄｉｓｐｌａｙ  Ａｒｅａ）、入力領域（Ｉｎｐｕｔ  Ａｒｅａ）及び制御領域（Ｃｏｎｔｒｏｌ  Ａｒｅａ）を含む。
【００５２】
タッチデバイス２１０はタッチ方式で情報を入力受けるとか、入力受けた情報をディスプレイする。また、タッチデバイス２１０はアプリケーション（Ａｐｐｌｉｃａｔｉｏｎ）の実行結果をディスプレイする。この時、情報は文字と数字、記号、絵、イメージ、オーディオ、動画などを含む。
【００５３】
また、タッチデバイス２１０は入力領域を通じて使用者から情報または操作命令を入力受けて制御部２３０に伝達する。また、タッチデバイス２１０は受信された情報を表示領域を通じてスクロール方式で表示するとか、使用者のスライディングタッチによって移動された以前または以後の情報をスクロール方式にディスプレイする。
【００５４】
通信部２２０は端末機が移動通信網を通じて他の移動端末機と電話通話に関する音声信号及びマルチメディアに関するデータなどを送受信する。
【００５５】
また、通信部２２０は放送サーバー１３０から通信網１２０を通じてブロードキャスティングされた情報を受信する。ここで、ブロードキャスティングされた情報は天気やニュース、演芸、運勢、株価、経済、イベントなどに関する情報を含む。
【００５６】
制御部２３０はタッチデバイス２１０から伝達受けた情報、すなわちタッチされた地点が成す形象を認識してタッチデバイス２１０の表示領域にディスプレイする。
【００５７】
また、制御部２３０は使用者から入力領域を通じて情報を入力受けて表示領域で表示するとか、制御領域を通じて機能及び動作に関する制御動作を遂行する。
【００５８】
また、制御部２３０は通信部２２０を通じて受信された情報をタッチデバイス２１０上にスクロール方式にディスプレイされるように制御する。
【００５９】
そして、制御部２３０はタッチデバイス２１０上にスクロール方式で情報をディスプレイする中に表示される情報に対して使用者からスライディングタッチが入力されれば、表示された情報の以前または以後の情報をスライディングタッチ方向に移動させてディスプレイされるように制御する。ここで、スライディングタッチは使用者がタッチデバイス２１０をタッチした状態でドレギング（Ｄｒａｇｉｎｇ）する動作を含む。
【００６０】
メモリー２４０は通信部２１０を通じて受信された情報を貯蔵する。この時、メモリー２４０は通信部２１０を通じて受信された情報に対してタイトルまたはテーマ単位で貯蔵することができる。
【００６１】
プログラム部２５０は情報をスクロール方式で表示する中で使用者から情報に対するスライディングタッチが入力されれば、スライディングタッチ方向に情報を移動させて以前または以後の情報を表示するプログラムを貯蔵している。
【００６２】
また、プログラム部２５０は情報をスクロール方式で表示する中で使用者から情報に対する１回タッチが入力されれば、スクロールされる情報を停止させて表示して、使用者から情報に対する２回タッチが入力されれば、タッチされた情報の詳細情報をポップアップ画面で表示するプログラムを貯蔵している。そして、プログラム部２５０は一般的なＯＳ（Ｏｐｅｒａｔｉｎｇ  Ｓｙｓｔｅｍ）プログラムも貯蔵している。
【００６３】
図３は本発明の実施形態による情報表示方法を説明するための動作流れ図である。
【００６４】
図３を参照すれば、先ず放送サーバー１３０は通信網１２０を通じて不特定多数の移動端末機１１０にニュースや天気などに関する情報をブロードキャスティングする。この時、放送サーバー１３０からブロードキャスティングされる情報はテキスト形態を持つ情報を含む。
【００６５】
放送サーバー１３０からブロードキャスティングされた情報は通信網１２０を通じて移動端末機１１０に転送されて、移動端末機１１０は通信部２２０を通じて情報を受信する（Ｓ３０２）。
【００６６】
移動端末機１１０の制御部２３０は放送サーバー１３０からブロードキャスティングされた情報が通信部２２０を通じて受信されれば、受信された情報をメモリー２４０に貯蔵してメモリー２４０から情報をタイトル（Ｔｉｔｌｅ）またはテーマ（Ｔｈｅｍｅ）単位で読んで来てタッチデバイス２１０を通じて一定領域にスクロール方式にディスプレイする（Ｓ３０４）。
【００６７】
すなわち、制御部２３０は受信された情報を図４に示されたのようにタッチデバイス２１０の下端領域に右側から左側に流れる方向のスクロール方式４１０にディスプレイするのである。図４は使用者のスライディングタッチによって現在スクロールされる情報の以前情報を移動させて表示する画面を示す図である。
【００６８】
また、制御部２３０は受信されたテキスト形態の情報をタッチデバイス２１０の上端領域にスクロール方式で表示することができるし、左側から右側に流れる方向のスクロール方式でも表示することができる。
【００６９】
これによって、使用者はタッチデバイス２１０の下端領域にスクロール方式に表示されている情報を確認してから、右側から左側にもうスクロールなってしまった以前情報が知りたい場合に、現在スクロールされる情報に図４に示されたのように指をタッチしてタッチした状態で情報のスクロール方向と反対である左側から右側にドレギング（Ｄｒａｇｉｎｇ）してスライディングタッチ４２０を入力する。スライディングタッチはスクロールされる情報がディスプレイされる領域を除いたタッチスクリーン領域に入力されることができる。
【００７０】
制御部２３０は一定領域に情報がスクロールされるタッチデバイス２１０から情報に対するスライディングタッチが入力されれば（Ｓ３０６−ＹＥＳ）、タッチデバイス２１０の一定領域でスクロール表示される情報をスライディングタッチ方向に移動させて、もうスクロールされた以前の情報４３０をディスプレイする（Ｓ３０８）。
【００７１】
この時、制御部２３０はタッチデバイス２１０でスクロール表示される情報をスライディングタッチ方向に移動させてディスプレイする時、タイトルまたはテーマ単位に移動させた以前情報をディスプレイすることができる。
【００７２】
もし、使用者がタッチデバイス２１０の一定領域に図５に示されたのように右側から左側にスクロールされる情報５１０に対してスクロールされる方向と同一な方向である右側から左側にドレギングしてスライディングタッチ５２０を入力した場合に、制御部２３０はタッチデバイス２１０の一定領域にスクロール表示される情報をスライディングタッチ方向である右側から左側に移動させて、現在スクロール表示される情報の以後情報５３０をディスプレイする。図５は使用者のスライディングタッチによって現在スクロールされる情報の以後情報を移動させて表示する画面を示す図である。
【００７３】
また、制御部２３０はタッチデバイス２１０でスクロール表示される情報をスライディングタッチ方向に移動させてディスプレイする時、タイトルまたはテーマ単位に移動させた後情報をディスプレイすることができる。
【００７４】
以前の例らは水平方向にスクロールされる画面に係わるのである。しかし、  画面は垂直方向または対角線方向にスクロールされることができる。画面が垂直方向にスクロールされる場合、前述したスライディングタッチは、皆垂直方向にスライドされることができるし、スクロール方向と同一な方向または反対方向であることができる。
【００７５】
一方、制御部２３０は図６に示されたのようにタッチデバイス２１０上の下端領域に右側から左側にスクロール表示される情報６１０に対して、使用者からスクロール表示情報に対する使用者タッチ６２０が入力されれば、  現在スクロール表示される情報の中でタッチされた情報に対する詳細情報をポップアップ（Ｐｏｐ−ｕｐ）６３０にディスプレイする。図６はスクロール表示される情報に対する使用者タッチの時ポップアップで詳細情報を表示する画面を示す図である。ここで、制御部２３０はスクロールされる情報に対する使用者タッチの時、タッチされた情報に対する詳細情報を提供する画面に変更してタッチデバイス２１０上に全体画面で表示することができる。
【００７６】
また、制御部２３０はタッチデバイス２１０  上の右側から左側にスクロール表示される情報６１０に対して、使用者からスクロール表示情報に対する使用者タッチ６２０が入力されれば、タッチされた情報の関連内容を表示してくれるとか、該当のスクロール表示情報の詳細情報がリンク（Ｌｉｎｋ）されているＵＲＬ住所で接続を遂行するとか、使用者タッチによって選択された情報内容を検索するようにする辞書（Ｄｉｃｔｉｏｎａｒｙ）機能を提供する。
【００７７】
一方、制御部２３０は図４に示されたのようにタッチデバイス２１０上に右側から左側にスクロール表示される情報４１０に対して、スクロールされる方向と反対である左側から右側にドレギングされる使用者のスライディングタッチ４２０が入力されれば、タッチデバイス２１０上の右側から左側にスクロール表示される情報をスライディングタッチ方向と同一な方向である左側から右側に移動させて画面上に表示することができる。ここで、使用者のスライディングタッチ速度をさらに早くすれば、制御部２３０はスライディングタッチ速度によって移動される情報の速度でさらに早く移動させて画面上に表示することができる。したがって、ソフトウェアはスライディングタッチ速度と、ディスプレイ速度／量をお互いに関連させることができる。
【００７８】
また、情報内のスクロール距離／量は、スライディングタッチの速度によって可変されることができる。また、スクロール速度または距離は、スライディングタッチの長さ、スライディングタッチの角度、またはスライディングタッチがタッチスクリーンのどの所に入力されるかによって可変されることができる。また、スライディングタッチは直線を除いた形態（ｅｘ：チェックマーク、螺旋、ランダムした曲がりくねった線、または他の形態）であることがある。
【００７９】
また、制御部２３０は図４に示されたのようにタッチデバイス２１０上に右側から左側にスクロール表示される情報４１０に対して、スクロールされる方向と反対である左側で右側でのスライディングタッチ４２０が入力されれば、タッチデバイス２１０上の右側から左側にスクロール表示される情報のスクロール速度を減少させて以前のスクロール速度よりさらに遅い速度でスクロール表示されるようにできる。
【００８０】
また、制御部２３０は図５に示されたのようにタッチデバイス２１０上に右側から左側にスクロール表示される情報５１０に対して、スクロールされる方向と同一な方向である右側から左側にドレギングされる使用者のスライディングタッチ５２０が入力されれば、タッチデバイス２１０上の右側から左側にスクロール表示される情報のスクロール速度をさらに早くして以前のスクロール速度よりさらに早い速度でスクロール表示されるようにできる。ここで、制御部２３０は使用者のスライディングタッチ速度によってスライディングタッチ速度が遅ければ右側から左側にスクロールされる情報のスクロール速度をさらに遅くするとか、スライディングタッチ速度が早い場合にスライディングタッチ速度に対応されるように右側から左側にスクロールされる情報のスクロール速度をさらに早くして表示することができる。したがって、制御部２３０は使用者のスライディングタッチ速度によってスクロールされる情報のスクロール速度を調節することができる。
【００８１】
また、制御部２３０はタッチデバイス２１０上にメッセージ受信函のリスト情報を表示する場合に、多数のリスト情報の中にカーソル（Ｃｕｒｓｏｒ）が位置するリスト情報に対して、該当のリスト情報の内容が右側から左側にスクロールされるように表示して、この時使用者のスライディングタッチによってタッチされたリスト情報の以前または以後の情報を移動させて表示することができる。
【００８２】
そして、制御部２３０はタッチデバイス２１０上の一定領域にスクロール表示される情報を移動させて以前または以後の情報を表示する時、図７に示されたのように現在使用者に見えている表示領域に表示されないで残っている情報の量７１０を棒形とか色相などで表示してくれることができる。  残っているコンテンツを他の形態で表示することができる（ｅｘ：高さが変更されるバスケットまたはバケツ、一連のハイライトされるとか、ハイライトにならない客体たち、変更するパーセントを見せてくれる数字表示、パイチャート（ｐｉｅ  ｃｈａｒｔ）、変更するパーセントを見せてくれる数字‘速度計’表示等）。図７は以前または以後の情報を表示する時残っている情報の量を表示する画面を示す図である。
【００８３】
前述した実施形態は、例えば、コンピューターソフトウェア、ハードウェア、またはこれらの組合を利用してコンピューターで読める媒体（ａ  ｃｏｍｐｕｔｅｒ−ｒｅａｄａｂｌｅ  ｍｅｄｉｕｍ）に具現されることができる。ハードウェア具現において、前述した実施形態は、一つ以上の  ＡＳＩＣｓ（Ａｐｐｌｉｃａｔｉｏｎ  Ｓｐｅｃｉｆｉｃ  Ｉｎｔｅｒｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサたち、コントローラーたち、マイクロ−コントローラーたち、マイクロ−プロセッサたち、上述した機能を遂行するために設計された他の電子ユニットまたはこれらの選択的組合内で、具現されることができる。
【００８４】
前述したのように本発明によれば、放送サーバーからブロードキャスティングされた情報を受信してスクロール方式で表示する時、使用者のスライディングタッチ方向によってスクロール表示されている情報の以前または以後の情報を移動させて表示するようにする、情報表示方法及び端末機を実現することができる。
【００８５】
以上の説明は本発明の技術思想を例示的に説明したことに過ぎないこととして、本発明が属する技術分野で通常の知識を持った者なら本発明の本質的な特性から脱しない範囲で多様な修正及び変形が可能である。
【００８６】
したがって、本発明に開示された実施形態は本発明の技術思想を限定するためではなく説明するためのことであり、このような実施形態によって本発明の技術思想の範囲が限定されるのではない。
【００８７】
本発明の保護範囲は上の請求範囲によって解釈されなければならないし、  それと同等な範囲内にいるすべての技術思想は本発明の権利範囲に含まれることに解釈されなければならない。
【００８８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００８９】
【図１】本発明の実施形態による情報表示方法が適用された通信システムの構成を概略的に示す構成図。
【図２】本発明の実施形態による情報表示端末機としての移動端末機の内部構成を概略的に示す構成図。
【図３】本発明の実施形態による情報表示方法を説明するための動作流れ図。
【図４】使用者のスライディングタッチによって現在スクロールされる情報の以前情報を移動させて表示する画面を示す図。
【図５】使用者のスライディングタッチによって現在スクロールされる情報の以後情報を移動させて表示する画面を示す図。
【図６】スクロール表示される情報に対する使用者タッチの時ポップアップで詳細情報を表示する画面を示す図。
【図７】以前または以後の情報を表示する時残っている情報の量を表示する画面を示す図。＜  図面の主要部分に対する符号の説明  ＞
【符号の説明】
【００９０】
１００  通信システム
１１０  移動端末機
１２０  通信網
１３０  放送サーバー
２１０  タッチデバイス
２２０  通信部
２３０  制御部
２４０  メモリー
２５０  プログラム部
【図１】
2008217790.tif 000003
【図２】
2008217790.tif 000004
【図３】
2008217790.tif 000005
【図４】
2008217790.tif 000006
【図５】
2008217790.tif 000007
【図６】
2008217790.tif 000008
【図７】
2008217790.tif 000009